(57)【要約】      （修正有）【課題】筆記体リフィールを軸筒から分離し、前記筆記体リフィールの後方に配置したもう一方のペン先部を軸筒先端に差し替えることにより、２種類のペン先機能を発揮させる。【解決手段】筆記具は回転繰り出し機構によりペン先部を出没可能に構成し、軸筒内に両端にペン先部（ペン先或いは入力用スタイラスペン）を設けた筆記体リフィールを着脱自在に取り付ける。前記筆記体リフィールの両端のペン先部は、前記２つのペン先部をそれぞれ係止する係止部を設ける。【選択図】図１
2009012194.tif 000002
【特許請求の範囲】
【請求項１】
軸筒に着脱自在に装着された筆記体リフィールを有する筆記具において、前記筆記体リフィールの両端にペン先部を形成すると共に、前記２つのペン先部をそれぞれ係止する係止部を設けたことを特徴とする両頭リフィールを内蔵した筆記具。
【請求項２】
筆記具が、筆記体リフィールの筆圧を検知してオン／オフする電気的装置を装着した筆記具であることを特徴とする請求項１記載の両頭リフィールを内蔵した筆記具。
【請求項３】
筆記体リフィールの２つのペン先部のうち、少なくとも一方が、筆跡を残さない、スタイラスペン先であることを特徴とする、請求項１及び請求項２記載の両頭リフィールを内蔵した筆記具。
【請求項４】
リフィルホルダーの把持を解除できる収納コマを一部露出させて軸筒外面に設けた請求項１及び請求項３に記載した両頭リフィールを内蔵した筆記具。
【発明の詳細な説明】
【技術分野】
【０００１】
本発明は、軸筒に着脱自在に装着された筆記体リフィールを有する筆記具（或いは入力ペン）に関するものであり、前記筆記体リフィールの両端にペン先部を形成すると共に、前記２つのペン先部をそれぞれ係止する係止部を設けたことを特徴とするため、前記筆記体リフィールを軸筒から分離し、前記筆記体リフィールの後方に配置した、もう一方のペン先部を軸筒先端に差し替えることにより、２種類のペン先機能を発揮させるものである。
【背景技術】
【０００２】
１例として、２種以上のペン先機能を発揮させるものとして、複数の筆記体リフィールを軸筒に並列に配置した、複合筆記具が知られている。
【特許文献１】特開２００１−３２８３９３号
【特許文献２】特開平１１−１８８９９２号
【発明の開示】
【発明が解決しようとする課題】
【０００３】
しかしながら、上記複合筆記具の場合、複数の筆記体リフィールのなかから、希望する筆記体リフィールを選択するための機構が複雑になると共に、筆記体リフィール１本のみ内蔵の筆記具に比べ、機構上、軸筒の外径を太くせざるを得なくなる欠点を要していた。
また筆記具が、筆記体リフィールの筆圧を検知してオン／オフする電気スイッチ（或いはセンサ）を装着し、発信装置から発信した音波や光を、受信する装置を内蔵してＸＹ座標を検出できる装置（受信装置）との組み合わせで、筆跡を記憶・出力するシステムに用いる場合、或いは筆記具が、筆記に連動して発光や振動する発信装置を内蔵し、デジタイザーを用いたＸＹ座標検出装置との組み合わせで、筆圧検出機構を装備した筆記具（或いは入力ペン）システムにおいては、軸筒内に多くの電子回路を内蔵されるため複数の筆記体リフィールを内蔵する空間を形成することが困難であると共に、ペン先部付近に受信装置への信号を送る装置（発信装置）が取り付けられる場合が多く、複数の筆記体リフィールを発信装置と干渉させずに軸筒に配置することは極めて難しいことである。
【発明の効果】
【０００４】
本発明は、軸筒に着脱自在に装着された筆記体リフィールを有する筆記具（或いは入力ペン）の、筆記体リフィールの両端にペン先部を形成すると共に、前記２つのペン先部をそれぞれ係止する係止部を設けたことを特徴とするため、筆記体リフィールを軸筒から分離し、筆記体リフィールの後方に配置した、もう一方のペン先部を軸筒先端に差し替えることにより、２種類のペン先機能を複雑な機構を用いず確実に、簡潔に発揮させるものである。
また、本発明は電子ペンに適用したときに、スタイラスペンを使用する際に、簡単に軸筒から筆記体リフィールを抜き差しできるものである。
【課題を解決するための手段】
【０００５】
本発明は、軸筒に着脱自在に装着された筆記体リフィールを有する筆記具（或いは入力ペン）に関するものであり、前記筆記体リフィールの両端にペン先部を形成すると共に、前記２つのペン先部をそれぞれ係止する係止部を設けたことを特徴とするため、前記筆記体リフィールを軸筒から分離し、前記筆記体リフィールの後方に配置した、もう一方のペン先部を軸筒先端に差し替えることにより、２種類のペン先機能を発揮させることを要旨とする。
【発明を実施するための最良の形態】
【０００６】
図１〜図４に本発明の１例を示し説明する。
本実施例は回転繰り出し式筆記具であり、後軸３と前軸２の相対的回転により、筆記体リフィール１２が軸筒１先端で出没する機構を有している。
カム筒６と回転子７、並びに、摺動子８の構成並びに動作は、前記従来技術とほぼ同様である。カム筒６には、回転子７が回転自在ではあるが前後動不能に挿着・嵌合されている。また、カム筒６内には、摺動子８が挿着されているが、その摺動子８は前記回転子７に対しても摺動自在に挿着されている。さらに、カム筒６内前方には、コイルスプリングなどからなる弾発部材１１が配置されている。その弾発部材１１の前端部は、カム筒６の前方部に固定されたバネ受け１０のバネ受け部１０ａに当接・係止されている。一方、弾発部材１１の後端部は、リフィール受け９の筒状部を介して、そのリフィール受け９の後方に形成されたバネ受け部９ｃに当接・係止している。即ち、弾発部材１１によってリフィール受け９が後方に付勢されると共に、そのリフィール受け９を介して前記摺動子８も後方に向けて付勢されているのである。
【０００７】
以上の構成により、カム筒６と回転子７と、並びに、摺動子８、リフィール受け９、弾発部材１１、バネ受け１０が１つの部材となって、回転繰り出しユニットが構成される。
前記リフィール受け９の後部内面には、内方リブ９ｂが形成されており、その内面リブ９ｂに筆記体リフィール１２が圧入・固定されている。
また、前記回転繰り出しユニットのカム筒６の前方外面には、ネジ部６ｂが形成されており、前軸２のネジ部２ａに螺合している。即ち、この螺合によって、回転繰り出しユニットと前軸２とが一体化されているのである。なお、回転子７の後部には頭冠４止めが固定されているが、頭冠止め５に形成されたローレット部５ｂに回転子７の圧入部７ｂが圧入することによって固定されている。そして、その頭冠止め５の後端部には、ネジ部５ａが形成されており、そのネジ部５ａが頭冠４のネジ部４ａに螺合・接着固定されている。
後軸３の後部には飾りリング１３が圧入・接着されている。
【０００８】
筆記体リフィール１２は、インキを収納する筒体１２ｃの一端にボールペンペン先１２ａを、他端にインキの吐出を必要としないスタイラスペン先１２ｂを嵌挿・固定してある。
スタイラスペン先１２ｂ側には、空気流通溝１２ｆが形成されており、筒体１２ｃ内の気圧を環境と同じになるようにしてある。
ボールペンペン先部１２ａと、スタイラスペン先部１２ｂにはそれぞれ係止部１２ｄ、１２ｅが設けられており、リフィール受け９に設けられた係止部９ａに当接している。
筆記体リフィール１２のペン先を入れ替える場合は、まず後軸３と前軸２の螺合を解除することで、後軸３側前方に筆記体リフィール１２前方が露出した状態になる。この状態で筆記体リフィール１２をリフィール受け９から抜き取り、ペン先部分を反転して再び、リフィール受け９に筆記体リフィール１２後方を差し込み、後軸３を螺着することで、筆記体リフィール１２のペン先部の交換が完了する。
【０００９】
図５〜図１０に本発明の第２例を示し説明する。
本実施例は、筆記具が、筆記体リフィールの筆圧を検知してオン／オフする電気スイッチ（或いはセンサ）を装着し、ペン先付近に取り付けられた発信装置から発信した音波や光を発信することができ、受信装置との組み合わせで筆跡を記憶・出力するシステムに用いる筆記具である。
【００１０】
発信器カバー１４、前軸２、後軸３及び尾栓１５よりなる軸筒１の内方に、筆記体リフィール１２を摺動自在に配置した中軸１６が設けてある。前記中軸１６には、前記筆記体リフィール１２の筆圧を検知して電源のオン／オフをする電気的装置をモジュール化したセンサーボックス１７を組み入れる空間が形成されている。センサーボックス１７には、筆記体後端に設けた筆記体フォルダー１８の後方部を摺動可能にガイドするガイド部１７ａと、前記電気的装置の筆圧感知時の摺動ストロークを決める当接部１７ｂを形成すると共に、筆記体リフィール１２を非筆記時に長手軸前方に付勢する弾発部１７ｃを設けている。
【００１１】
筆記体フォルダー１８後方には、ガイド部１８ａと係止部１８ｂを形成し、筆記体フォルダー１８のセンサーボックス１７からの脱落を防止している。
また筆記体フォルダー１８は、筆圧により筆記時には後方に摺動し、弾発部１７ｃを介して感圧センサ１９を押圧し、筆記状態を検知することができる。
このとき、筆記体フォルダー当接部１８ｃがセンサーボックス当接部１７ｂに当接することで、感圧センサ１９へ過剰な筆圧を掛けないことができる。
筆記体フォルダー１８には、筆記体リフィール１２の後方に位置するペン先部を係止する係止部１８ｄが設けられている。
【００１２】
本実施例では、ペン先テーパ部１２ｇ、１２ｈを係止部１２ｄ，１２ｅとする複数のリブがペン先部を係止する係止部１８ｄとして設けられている。
筆記体リフィール１２は筆記体フォルダー１８に取り付けたリフィールクリップ２０で狭着され、軸筒１からの脱落を防いでいる。
またスライド２１が、摺動コマとして軸筒に設けられ、軸筒１外周面にスライド可能に配置されており、拡開部２１ａがリフィールクリップ２０前方に形成されている。
筆記体リフィール１２を抜き取り、ペン先を入れ替える場合、スライド２１を長手後方に移動させることで、スライド拡開部２１ａが、筆記体フォルダー１８に取り付けたリフィールクリップ２０を拡開させ、リフィールクリップ２０の筆記体リフィール１２の狭着を解除させ、筆記体リフィール１２は自重で、筆記具から分離し、ペン先部を反転させ再度装着することで、完了する。
【００１３】
筆記体リフィールに用いるペン先としては、ペン先摩耗の少ない、金属ボールペンチップ、インキ等の紙面への転写を必要としないスタイラスペン先等がペン先として好ましいが、特にペン先の種類を限定するものではない。
また図示はしないが、ペン先部のテーパ部を係止部とし、例えば一方にボールペンペン先、他方にスタイラスペン先とした場合、ボールペンとスタイラスにほぼ同一形状のテーパー部を設け、テーパ部より先部長さをスタイラスで長くすることにより、ペン先の軸筒からの突出長さをスタイラスで長くさせることも可能である。
また更に、２つペン先係止部は、それぞれのペン先形状に合わせて、ペン先部を係止する係止部材を別の箇所に設けてもよい。
一方に黒ボールペンペン先、他方に赤ボールペンペン先を配置しても良い。この場合リフィール筒内のインキ比率は使用頻度によって適宜配分することもできる。
本実施例では、筆記体の筆圧を検知してオン／オフする電気的装置として感圧センサを示したが、タクトスイッチ等を用いても一向に差し支えない。
【図面の簡単な説明】
【００１４】
【図１】本発明の第１例の非筆記状態を示す部分半断面図である。
【図２】本発明の第１例の筆記体リフィール部分半断面図である。
【図３】本発明の第１例の要部拡大部分半断面図である。
【図４】本発明の第１例の回転繰り出し機構に関する要部分解斜視図である。
【図５】本発明の第２例の非筆記状態を示す部分半断面図である。
【図６】本発明の第２例の筆記体リフィール部分半断面図である。
【図７】本発明の第２例の要部拡大部分半断面図である。
【図８】本発明の第２例の筆記体リフィール装着を示す要部A-A断面図である。
【図９】本発明の第２例の筆記体リフィール装着解除を示す要部A-A断面図である。
【図１０】本発明の第２例の要部分解斜視図である。
【符号の説明】
【００１５】
１  軸筒
２  前軸
２ａ  ネジ部
３  後軸
４  頭冠
４ａ  ネジ部
５  頭冠止め
５ａ  ネジ部
５ｂ  ローレット部
６  カム筒
６ａ  カム溝
６ｂ  ネジ部
７  回転子
７ａ  カム面
７ｂ  圧入部
８  摺動子
８ａ  摺動子突起
９  リフィール受け
９ａ  係止部
９ｂ  内方リブ
９ｃ  バネ受け部
１０  バネ受け
１０ａ  バネ受け部
１１  弾発部材
１２  筆記体リフィール
１２ａ  ボールペンペン先
１２ｂ  スタイラスペン先
１２ｃ  筒体
１２ｄ  係止部
１２ｅ  係止部
１２ｆ  空気流通溝
１２ｇ  ペン先テーパ部
１２ｈ  ペン先テーパ部
１３  飾りリング
１４  発信器カバー
１５  尾栓
１６  中軸
１７  センサーボックス
１７ａ  ガイド部
１７ｂ  当接部
１７ｃ  弾発部
１８  筆記体フォルダー
１８ａ  ガイド部
１８ｂ  係止部
１８ｃ  当接部
１８ｄ  係止部
１９  感圧センサー
２０  リフィールクリップ
２１  スライド
２１ａ  拡開部
２２  電池
２３  超音波発信素子
２４  赤外線発信素子
【図１】
2009012194.tif 000003
【図２】
2009012194.tif 000004
【図３】
2009012194.tif 000005
【図４】
2009012194.tif 000006
【図５】
2009012194.tif 000007
【図６】
2009012194.tif 000008
【図７】
2009012194.tif 000009
【図８】
2009012194.tif 000010
【図９】
2009012194.tif 000011
【図１０】
2009012194.tif 000012